(57)【要約】【課題】  装置の小型化および読み取りの高速化を図ることができるイメージスキャナの提供。【解決手段】  筐体２の上面に設けられた原稿台３上の原稿に、反射ミラー６の周囲に設けられた照明装置９ａ，９ｂで照明する。原稿からの反射光は反射ミラー６，７によって、その光路が筐体上面と筐体底面との間で往復するように折り曲げられるように反射され、撮像部８に入射する。その結果、装置の厚さ方向寸法を小さくすることができる。反射ミラー６，７は縮小反射光学系を構成しており、反射ミラー６を筐体底面に垂直投影したときの大きさは、原稿台３を筐体底面に垂直投影したときの大きさよりも小さくなる。そのため、照明装置９ａ，９ｂを反射ミラー６の周囲に近接して設けることにより、装置の平面寸法（設置面積）を小さくすることができる。【選択図】        図１
2006333162.tif 000002
【特許請求の範囲】
【請求項１】
装置筐体の上面に設けられて、原稿がセットされる原稿台と、
前記原稿台にセットされた原稿を筐体下方から照明する照明装置と、
２次元型撮像素子と、
前記照明装置で照明された前記原稿からの反射光を筐体上面方向に反射する第１のミラー、および前記第１のミラーで反射された光を筐体底面方向へ反射する第２のミラーを少なくとも有し、前記原稿からの反射光を前記撮像素子に導く縮小反射光学系とを備え、
前記照明装置は前記第１のミラーの側方に近接して設けられ、照明光を前記原稿に対して斜入射することを特徴とするイメージスキャナ。
【請求項２】
請求項１に記載のイメージスキャナにおいて、
前記撮像素子の撮像データに基づいて前記原稿の画像を表示する表示部を備えたことを特徴とするイメージスキャナ。
【請求項３】
請求項１または２に記載のイメージスキャナにおいて、
前記２次元型撮像素子およびデジタルカメラを択一的に装着する装着部を備え、
前記装着部に装着された前記２次元型撮像素子およびデジタルカメラのいずれか一方により、前記原稿台にセットされた原稿を撮像して読み取ることを特徴とするイメージスキャナ。
【請求項４】
装置筐体の上面に設けられて、原稿がセットされる原稿台と、
前記原稿台にセットされた原稿を筐体下方から照明する照明装置と、
デジタルカメラが着脱可能な装着部と、
前記照明装置で照明された前記原稿からの反射光を筐体上面方向に反射する第１のミラー、および前記第１のミラーで反射された光を筐体底面方向へ反射する第２のミラーを少なくとも有し、前記原稿からの反射光を前記装着部に装着されたデジタルカメラに導く縮小反射光学系とを備え、
前記照明装置は前記第１のミラーの側方に近接して設けられ、照明光を前記原稿に対して斜入射することを特徴とするイメージスキャナ。
【請求項５】
請求項３または４に記載のイメージスキャナにおいて、
前記デジタルカメラで撮像する場合の撮像条件が記憶されている記憶部と、
前記装着部に装着された前記デジタルカメラの撮像条件を前記記憶部に記憶された撮像条件に設定する設定手段とを備えたことを特徴とするイメージスキャナ。
【請求項６】
請求項３または４に記載のイメージスキャナにおいて、
前記撮像条件を表す表示が印刷されたチャートを前記デジタルカメラで撮像して読み込んだ画像に基づいて、前記デジタルカメラの撮像条件を設定する設定手段を備えることを特徴とするイメージスキャナ。
【請求項７】
請求項１〜６のいずれか一項に記載のイメージスキャナにおいて、
前記第１のミラーは入射した光の一部を透過するミラーであって、
前記第１のミラーと対向する筐体底部の少なくとも一部を透明部材で形成したことを特徴とするイメージスキャナ。
【請求項８】
請求項１〜７のいずれか一項に記載のイメージスキャナにおいて、
前記照明装置の少なくとも一部を、前記原稿台を筐体底面に投影したときの投影領域に重複して配置したことを特徴とするイメージスキャナ。
【発明の詳細な説明】
【技術分野】
【０００１】
本発明は、原稿等を読み取るイメージスキャナに関する。
【背景技術】
【０００２】
用紙に印刷された画像や文字を読み取る装置としては、フラットベッド型スキャナが一般的に知られている（例えば、特許文献１）。フラットベッド型スキャナでは、ラインセンサを走査することによって、原稿全体を読み取るようにしている。また、ラインセンサに代えてエリアセンサを用いたスキャナも提案されている（例えば、特許文献２）。
【０００３】
【特許文献１】特開平６−６５４６号公報
【特許文献２】特開平４−２３５４５５号公報
【発明の開示】
【発明が解決しようとする課題】
【０００４】
しかしながら、ラインセンサを用いたスキャナでは、ラインセンサを走査して原稿を読み取るため読み取り時間がかかる。また、エリアセンサを用いたスキャナでは、原稿とエリアセンサとの距離をとる必要があり、装置が大きくなってしまうという欠点があった。
【課題を解決するための手段】
【０００５】
請求項１の発明によるイメージスキャナは、装置筐体の上面に設けられて、原稿がセットされる原稿台と、原稿台にセットされた原稿を筐体下方から照明する照明装置と、２次元型撮像素子と、照明装置で照明された原稿からの反射光を筐体上面方向に反射する第１のミラー、および第１のミラーで反射された光を筐体底面方向へ反射する第２のミラーを少なくとも有し、原稿からの反射光を撮像素子に導く縮小反射光学系とを備え、照明装置は第１のミラーの側方に近接して設けられ、照明光を原稿に対して斜入射することを特徴とする。
請求項２の発明は、請求項１に記載のイメージスキャナにおいて、撮像素子の撮像データに基づいて原稿の画像を表示する表示部を備えたものである。
なお、請求項３の発明のように、請求項１または２に記載のイメージスキャナにおいて、２次元型撮像素子およびデジタルカメラを択一的に装着する装着部を備え、装着部に装着された２次元型撮像素子およびデジタルカメラのいずれか一方により、原稿台にセットされた原稿を撮像して読み取るようにしても良い。
請求項４の発明によるイメージスキャナは、装置筐体の上面に設けられて、原稿がセットされる原稿台と、原稿台にセットされた原稿を筐体下方から照明する照明装置と、デジタルカメラが着脱可能な装着部と、照明装置で照明された原稿からの反射光を筐体上面方向に反射する第１のミラー、および第１のミラーで反射された光を筐体底面方向へ反射する第２のミラーを少なくとも有し、原稿からの反射光を装着部に装着されたデジタルカメラに導く縮小反射光学系とを備え、照明装置は第１のミラーの側方に近接して設けられ、照明光を前記原稿に対して斜入射することを特徴とする。
なお、請求項５の発明のように、請求項３または４に記載のイメージスキャナにおいて、デジタルカメラで撮像する場合の撮像条件が記憶されている記憶部と、装着部に装着されたデジタルカメラの撮像条件を記憶部に記憶された撮像条件に設定する設定手段とを備えるようにしても良いし、請求項６の発明のように、撮像条件を表す表示が印刷されたチャートをデジタルカメラで撮像して読み込んだ画像に基づいて、デジタルカメラの撮像条件を設定する設定手段を備えるようにしても良い。
請求項７の発明は、請求項１〜６のいずれか一項に記載のイメージスキャナにおいて、第１のミラーは入射した光の一部を透過するミラーであって、第１のミラーと対向する筐体底部の少なくとも一部を透明部材で形成したものである。
請求項８の発明は、請求項１〜７のいずれか一項に記載のイメージスキャナにおいて、照明装置の少なくとも一部を、原稿台を筐体底面に投影したときの投影領域に重複して配置したものである。
【発明の効果】
【０００６】
本発明によれば、原稿からの反射光を筐体上面方向に反射する第１のミラーと、第１のミラーで反射された光を筐体底面方向へ反射する第２のミラーとを少なくとも有する縮小反射光学系により、原稿からの反射光を撮像素子に導くようにしたので、イメージスキャナの小型化・高速化を図ることができる。
【発明を実施するための最良の形態】
【０００７】
以下、図を参照して本発明を実施するための最良の形態について説明する。
−第１の実施の形態−
図１，２は本発明によるイメージスキャナの第１の実施の形態を示す図である。図１はイメージスキャナ１の断面図であり、図２はイメージスキャナ１の平面図である。図２では、装置内部の配置がわかりやすいように透視図としており、カバーの図示は省略した。
【０００８】
図１，２に示すイメージスキャナ１は従来のフラットベッド型スキャナと同様の筐体２を有しており、筐体上面には原稿が載置される透明な原稿台３が設けられている。原稿台３はガラス板等の透明部材より成る。筐体上面には開閉可能なカバー４が設けられており、カバー４を閉じることにより原稿が原稿台３に固定される。カバー４の裏面側、すなわち原稿台３と対向する面にはシェーディング補正等に用いる白基準板５が固定されている。原稿台３に原稿を載置せずにこの白基準板５を読み取ることにより、シェーディング補正などの各種補正を行うことができる。
【０００９】
筐体２内の原稿台３の下方には、平面状の反射ミラー６が設けられている。反射ミラー６は、図１に示すように図示右端部位置が左端部よりも上方となるように配置されており、反射面に垂直な法線方向は左斜め上方向となっている。本実施の形態ではこのように反射ミラー６を原稿台３に対して斜めに配置したが、平行に配置してもかまわない。
【００１０】
反射ミラー６の周囲には、ＬＥＤや冷陰極管等で構成される照明装置９ａ，９ｂ，９ｃが近接して配設されている（図２参照）。各照明装置９ａ〜９ｃは照明光が原稿台３に対して斜めに入射するように配置されており、原稿台３に載置された原稿を複数の方向から照明することにより、原稿の全領域を均一に照明することができる。また、照明光を斜めに入射させることにより、反射光がダイレクトに撮像部８に入射するいわゆる「テカリ」を防止することができる。
【００１１】
原稿面からの反射光の内で、反射ミラー６によって左斜め上方向に反射された光は、筐体２内の上面に設けられた反射ミラー７により撮像部８の方向へと反射される。このように、本実施の形態のイメージスキャナ１では、原稿からの反射光は、反射ミラー６、反射ミラー７の順に反射されることにより光路が筐体２の上面と底面との間で往復するように折り曲げられ、撮像部８の撮像素子に入射する。その結果、筐体２の厚さ方向寸法（図１の図示上下方向寸法）をより小さくすることが可能となる。
【００１２】
図示していないが、撮像部８には２次元撮像素子と撮影レンズとが設けられており、撮像部８に入射した光は撮影レンズにより結像され、２次元撮像素子の撮像面上に原稿の像が投影される。２次元撮像素子には、ＣＣＤ型やＣＭＯＳ型等のエリア撮像素子が用いられる。反射ミラー７の反射面は凸形状の非球面を形成しており、反射ミラー６，７は縮小系の反射光学系を構成している。すなわち、撮像部８に設けられている２次元撮像素子の撮像面が、反射ミラー６，７によって原稿台３の全域に投影されるような構成となっている。
【００１３】
反射ミラー６，７は縮小反射光学系を構成している。そのため、図２の平面図からも分るように、反射ミラー６を原稿台３に垂直に投影した投影像の大きさ（図２における反射ミラー６の大きさ）は、原稿台３の大きさよりも小さくなっている。そして、反射ミラー６に近接して設けられた照明装置９ａ〜９ｃは、原稿台３を筐体底面に投影したときの輪郭線と反射ミラー６を筐体底面に投影したときの輪郭線との間の領域にほぼ収まるように配置されている。その結果、平面図でみた場合の筐体１の大きさをより小さくすることができる。
【００１４】
筐体上面のカバー４が被さらない面には、ＬＣＤを用いた表示モニタ１０と、電源ボタン１１１、読取ボタン１１２等の操作部１１が設けられている。撮像部８，表示モニタ１０および操作部１１は制御部１２に接続されており、撮像部８の撮像信号は制御部１２へと出力される。制御部１２は、アナログ信号処理回路，Ａ／Ｄ変換器およびデジタル信号処理回路などの画像処理に関する回路や、イメージスキャナ全体の動作を制御するＣＰＵ，ＣＰＵを動作させるための制御プログラムが格納されるＲＯＭ、画像データが記憶されるＲＡＭ、外部のＰＣ（パーソナルコンピュータ）１３と信号の授受を行うための外部インターフェース等を備えている。
【００１５】
アナログ信号処理回路において相関二重サンプリング処理やシェーディング補正，暗電流補正等の処理が施された撮像信号は、Ａ／Ｄ変換器デジタル信号に変換された後に、デジタル信号処理回路において輪郭強調やガンマ補正などの各種画像処理が施される。画像データはいったんＲＡＭに記憶され、その後、外部インターフェースを介してＰＣ１３に送信される。画像読み取りは、予めホストコンピュータであるＰＣ１３に組み込まれたドライバソフトウェアにしたがってＰＣ１３がイメージスキャナ１を制御することでなされる。
【００１６】
図３はイメージスキャナの動作手順を説明する図である。電源ボタン１１１が操作されてイメージスキャナの電源がオンされると、ステップＳ１において照明装置９ａ，９ｂ，９ｃをオンして原稿台３を高輝度照明するとともに、撮像部８による撮像を行う。本実施の形態では、照明装置９ａ〜９ｃは、高輝度照明と低輝度照明との２段階の照度で照明をすることができ、動作に応じていずれかを選択するようにしている。
【００１７】
ステップＳ２では、起動時処理としてシェーディング補正処理が実行される。すなわち、閉じられているカバー４の裏面に設けられた白基準板５を読み取り、その撮像データに基づいてシェーディング補正を行う。シェーディング補正が終了すると、ステップＳ３へ進んで照明装置９ａ〜９ｃを低輝度照明に切り換える。ここで、照明装置９ａ〜９ｃを低輝度照明に切り換えることにより、後述する原稿セット時に、オペレータが眩しく感じるのを低減することができる。ステップＳ４では、原稿台３への原稿のセットを促す表示を、表示モニタ１０および接続されているＰＣ１３の表示部に行う。
【００１８】
ステップＳ５では、撮像部８の撮像情報に基づいて原稿台３に原稿がセットされたか否かを判定し、原稿がセットされたと判定されたならばステップＳ６に進む。例えば、画像信号に含まれる高周波成分を評価するコントラスト評価値の急激な増加を検出して、原稿がセットされたか否かを判定する。原稿がセットされていない状態では、カバー４が閉じられている場合には白基準板５が撮像され、カバー４が開いている場合にはぼけた像が撮像されるので、コントラスト評価値は低くなる。一方、原稿台３に原稿がセットされると、ピントの合った画像が撮像されるのでコントラスト評価値が急激に高くなり、原稿がセットされたと判定される。
【００１９】
ステップＳ６では、撮像部８の撮像データに基づくスルー画を表示モニタ１０に表示する。スルー画は表示モニタ１０に高フレームレートで表示するために加工された画像であり、例えば、画像データの解像度を落とす処理などの高速読み出し処理が施されたものである。このスルー画は、撮像部８からリアルタイムに出力される撮像データに基づいて所定の間隔で逐次更新される。
【００２０】
このように、本実施の形態では、２次元撮像素子を備えた撮像部８で撮像された画像を表示モニタ１０によりリアルタイムに確認することができ、それによって原稿の位置や傾きを調整し原稿を容易に正しくセットすることができる。一方、従来のようにラインセンサを走査するタイプのスキャナでは、一旦スキャンしないと原稿が正しくセットされているか確認できなかった。
【００２１】
ステップＳ７では、読取指示があるか否か、すなわち、読取ボタン１１２が操作されたか否かを判定する。オペレータが読取ボタン１１２を押すとステップＳ７でＹＥＳと判定され、ステップＳ８へと進んで照明装置９ａ〜９ｃが高輝度照明に切り換えられ、続くステップＳ９において読取動作が行われる。すなわち、撮像部８による撮像が行われ、その撮像データは制御部において各種画像処理が行われた後に、処理後の画像データがＲＡＭに記憶されるとともにＰＣ１３へ送信される。ステップＳ９の処理が終了したならばステップＳ３へと進み、照明装置９ａ〜９ｃを再び低輝度照明に切り換える。
【００２２】
なお、ステップＳ４〜９の間において、白基準板５が撮像されていると判定される場合にうっかり読み取りボタン１１１の操作して読み取り動作を行わせないように、読み取りボタン１１１の操作に反応しないようなロックをかけても良い。
【００２３】
上述した、実施の形態では照明装置９ａ〜９ｃを反射ミラー６の周囲にコの字形に配置したが、図４に示すように、照明装置９ａ，９ｃの代わりに照明装置９ｄを反射ミラー６に関して照明装置９ｂと反対側に配置することにより、筐体１をより小型化するようにしても良い。この場合、原稿台３で反射された光が撮像部８に入射しないように、原稿台３の遠いほうの領域を照明するようにする。すなわち、領域３ａを照明装置９ｂで照明し、領域３ｂを照明装置９ｄで照明する。
【００２４】
上記のような構成により、従来のラインセンサと同等の薄型筐体でありながら、ごく短時間で画像読み取りが可能なイメージスキャナが実現可能である。また、表示モニタにより原稿の向きがリアルタイムで確認可能である。
【００２５】
−第２の実施の形態−
図５は本発明によるイメージスキャナの第２の実施の形態を示す図であり、図１と同様の断面図である。上述した第１の実施の形態のイメージスキャナは専用の撮像部８を備えていたが、図５に示すイメージスキャナでは撮像部８に代えてデジタルカメラ２０を用いて画像の読み取りを行う。２１はデジタルカメラ２０が着脱可能な装着部であり、２２はカバー４の開閉状態を検出するセンサである。
【００２６】
第２の実施の形態では、反射ミラー７で筐体底面方向に反射された光はさらに反射ミラー２４で反射され、装着部２１に装着されたデジタルカメラ２０の撮影レンズへと導かれる。制御部２３は、照明装置９ａ〜９ｃ（照明装置９ｃは不図示）の動作を制御するＣＰＵ，ＣＰＵを動作させるための制御プログラムが格納されるＲＯＭ、画像読取に関するデータが記憶されるＲＡＭ等を備えている。
【００２７】
ユーザはデジタルカメラ２０を装着部２１に装着したならば、原稿台３にセットされた原稿にピントが合うように、デジタルカメラ２０を予め決められた合焦条件にマニュアル設定する。また、原稿台３に図６に示すようなフォーカス用パターン６１が印刷されたＡＦチャート６０をセットしてＡＦ動作を行わせ、そのときの合焦条件にマニュアル設定するようにしても良い。
【００２８】
デジタルカメラ２０の初期設定（撮像条件設定）が終了したならば、原稿を原稿台３にセットする。本実施の形態では、制御部２３はカバー４の開閉状態を検出するセンサ２２の出力信号を利用し、カバー４の開閉動作に連動して第１の実施の形態と同様の照明装置９ａ〜９ｃの輝度切り換えを行うようにする。すなわち、カバー４が開いていることが検出されたならば低輝度で照明し、カバー４が閉じていることが検出されたならば高輝度で照明する。
【００２９】
ユーザは、デジタルカメラ２０に設けられているＬＣＤモニタを観察することにより、原稿のセット状態を調整することができる。原稿が正しくセットされていることが確認できたならば、デジタルカメラ２０のレリーズボタンを全押しして撮影を行う。なお、デジタルカメラ２０に設けられているフラッシュは非発光に設定される。撮影された画像データはデジタルカメラ２０に設けられたメモリに記憶されるので、ＰＣ等により画像処理加工を行う場合には、デジタルカメラ２０からＰＣへと画像データを転送すれば良い。
【００３０】
このように、第２の実施の形態のイメージスキャナでは、上述した第１の実施の形態の作用効果に加え、デジタルカメラ２０をイメージスキャナ１の撮像部に転用することができるので、イメージスキャナ１のコストダウンを図ることができる。
【００３１】
［変形例１］
上述した第２の実施の形態では、デジタルカメラ２０はイメージスキャナ１と別個に設けられ、それぞれ独立して制御されているが、デジタルカメラ２０とイメージスキャナ１の制御部２３とを接続し、その接続されたデジタルカメラ２０を制御部２３により制御するようにしても良い。デジタルカメラ２０については通信制御モードを有するような構成とし、イメージスキャナ１に装着した場合には通信制御モードに設定される。また、デジタルカメラ２０の撮影動作は、イメージスキャナ１側に設けられた読取ボタン１１２（図１参照）の操作によって行われる。
【００３２】
デジタルカメラ２０の撮影に必要なデータ（撮像条件）は、イメージスキャナ１のＲＯＭに予め記憶されている。デジタルカメラ２０が装着部２１に装着されると、制御部２３は、デジタルカメラ２０の撮像条件をＲＯＭに予め記憶された撮像条件に設定する。撮像条件としては、上述したＡＦに関するデータの他に反射光学系による歪曲収差などがあり、画像の補正パラメータとして利用される。
【００３３】
なお、イメージスキャナ１からデータ転送する代わりに、図７に示すようなチャート５１，５２，５３を白基準板５に印刷しておき、それをデジタルカメラ２０に読み取らせて設定するようにしても良い。この場合、撮像範囲を原稿読取範囲よりも広い範囲に設定しておき、原稿読取範囲の外側の撮像範囲にチャート５１，５２，５３を設ける。チャート５１はフォーカス用パターンであり、チャート５２，５３は収差等の補正データが符号化されたバーコードと２次元バーコードである。デジタルカメラ２０は、チャート５２，５３を撮像して解読し、補正データを得ることができる。
【００３４】
［変形例２］
上述した変形例１では、イメージスキャナ１には図１に示すような撮像部８が設けられておらず、デジタルカメラ２０で撮像を行うような構成とした。しかし、図８のように、専用の撮像部８を備えるイメージスキャナ１において、撮像部８とデジタルカメラ２０とを選択的に装着可能な装着部８０を設け、撮像部８とデジタルカメラ２０とを交換できるような構成としても良い。図８（ａ）は装着部８０に専用の撮像部８を装着した場合を示し、図８（ｂ）は装着部８０にデジタルカメラ２０を装着した場合を示す。
【００３５】
図８（ｂ）のようにデジタルカメラ２０が接続されると、制御部１２からフォーカスデータや収差データ等がデジタルカメラ２０へ転送され、デジタルカメラ２０の状態がイメージスキャナ用に設定される。デジタルカメラ２０の動作は、制御部１２によってコントロールされる。例えば、デジタルカメラ２０の撮影動作は、イメージスキャナ１側に設けられた読取ボタン１１２（図１参照）の操作によって行われる。
【００３６】
−第３の実施の形態−
図９は本発明によるイメージスキャナの第３の実施の形態を示す図であり、図１の場合と同様の断面図である。ただし、図９では、イメージスキャナ１の原稿台３が下側となるように、原稿９０に上にイメージスキャナ１が載置されている。第３の実施のイメージスキャナでは、反射ミラー９６は第１の実施の形態の反射ミラー６とは異なり、半透過の反射ミラーで構成されている。さらに、筐体２の底面部（図９の上方）の反射ミラー９６と対向する部分は透明部材９１で形成されている。また、カバー４は着脱可能に構成されており、図９に示すような使用形態ではカバー４が取り外されている。その他の構成については、第１の実施の形態と同様である。なお、反射ミラー９６を用いた場合には、撮像部８へ反射される光の量が減るので、適切な明るさの画像となるようにデジタル的に補正処理を行ったり、露光時間を増やしたりしても良い。
【００３７】
第３の実施の形態では、上述したような構成としたことにより、原稿台３上に原稿を載置して画像読取を行う通常の使用方法に加えて、図９に示すように原稿９０の上にイメージスキャナ１を覆い被せて読み取りを行うこともできる。さらに、筐体底面（図９の上方）の一部を透明部材９１としたことにより、イメージスキャナ１を原稿９０の上に被せた状態でも原稿９０のセット状態を容易に確認することができ、どの方向に調整すれば良いかがわかりやすい。また、図９に示すように表示モニタ１０を筐体２の側面に設けるような構成にすれば、表示モニタ１０の画像からセット状態を確認することが可能である。
【図面の簡単な説明】
【００３８】
【図１】本発明によるイメージスキャナの第１の実施の形態を示す図であり、イメージスキャナ１の断面図を示す。
【図２】イメージスキャナ１の平面図である。
【図３】イメージスキャナ１の動作手順を説明する図である。
【図４】照明装置９ａ，９ｃに代えて照明装置９ｄを設けた場合のイメージスキャナ１の平面図である。
【図５】本発明によるイメージスキャナの第２の実施の形態を示す断面図である。
【図６】ＡＦチャート６０を示す図である。
【図７】チャート５１，５２，５３が印刷された白基準板５を示す図である。
【図８】変形例２を示す図であり、（ａ）は装着部８０に撮像部８を装着した場合を示し、（ｂ）は装着部８０にデジタルカメラ２０を装着した場合を示す。
【図９】イメージスキャナの第３の実施の形態を示す図である。
【符号の説明】
【００３９】
１：イメージスキャナ      ２：筐体
３：原稿台                ４：カバー
５：白基準板              ６，７，２４，９６：反射ミラー
８：撮像部                ９ａ，９ｂ，９ｃ：照明装置
１０：表示モニタ          １１：操作部
１２，２３：制御部        ２０：デジタルカメラ
２１，８０：装着部        ５０〜５２：チャート
６０：ＡＦチャート        ９０：原稿
９１：透明部材
【図１】
2006333162.tif 000003
【図２】
2006333162.tif 000004
【図３】
2006333162.tif 000005
【図４】
2006333162.tif 000006
【図５】
2006333162.tif 000007
【図６】
2006333162.tif 000008
【図７】
2006333162.tif 000009
【図８】
2006333162.tif 000010
【図９】
2006333162.tif 000011